(57)【要約】【課題】伝送距離および分岐接続数の両最大値を増大する。【解決手段】複数の通信端末１と、これらの各通信端末１に接続される分岐器２と、これらの各分岐器２間に接続される平衡２線ケーブル３，４とで通信システムを構成した。分岐器２は分岐回路部を含み、この分岐回路部は、平衡２線ケーブル３と接続するための一対の送り端子部２０１，２０２と、当該分岐器２を通信端末１に接続するための分岐端子部２００と、一対の送り端子部２０１，２０２間の両ラインと分岐端子部２００との間に介設され平衡２線ケーブル３に対してハイインピーダンスとなる一対の抵抗と、これら一対の抵抗と分岐端子部２００との間に介設され平衡２線ケーブル３とインピーダンス整合をとるためのトランスとで構成した。【選択図】　図１
2004048499.tif 000002
【特許請求の範囲】
【請求項１】
複数の通信端末と、これらの各通信端末に接続される分岐器と、これらの各分岐器間に接続される平衡２線ケーブルとにより構成され、前記複数の通信端末が前記分岐器および前記平衡２線ケーブルを介して相互にデータ信号を送受信する通信システムであって、
前記通信端末は、送信するべきデータ信号から被変調波信号を生成し、これを当該通信端末に接続される前記分岐器経由で他の通信端末に送信する信号送信部と、当該通信端末に接続される前記分岐器を介して他の通信端末からの被変調波信号を受信し、これを復調してデータ信号を得る信号受信部とを備え、
前記分岐器は、前記平衡２線ケーブルと接続するための一対の送り端子部と、当該分岐器を前記通信端末に接続するための分岐端子部と、分岐回路部とを含み、この分岐回路部は、前記一対の送り端子部間の両ラインと前記分岐端子部との間に介設され前記平衡２線ケーブルに対してハイインピーダンスとなる一対の抵抗と、これら一対の抵抗と前記分岐端子部との間に介設され前記平衡２線ケーブルとインピーダンス整合をとるためのトランスとにより構成される
ことを特徴とする通信システム。
【請求項２】
前記通信端末は、当該通信端末に接続される前記分岐器を送信状態および受信状態のいずれかに切り替えるための切替制御信号を生成し、これをその分岐器に送信する制御信号送信部を備え、
前記分岐器は、前記送り端子部からの被変調波信号を増幅するための受信信号増幅器と、前記分岐端子部からの被変調波信号を増幅するための送信信号増幅器と、前記通信端末からの切替制御信号が送信状態に切り替えるための信号であれば、前記送信信号増幅器を前記分岐回路部と前記分岐端子部との間に介設し、前記切替制御信号が受信状態に切り替えるための信号であれば、前記受信信号増幅器を前記分岐回路部と前記分岐端子部との間に介設する切替えを行う切替部とを備える
ことを特徴とする請求項１記載の通信システム。
【請求項３】
前記通信端末と前記分岐器の分岐端子部との間には平衡２線ケーブルが接続され、この平衡２線ケーブルを介して前記分岐器への被変調波信号および切替制御信号が送信されることを特徴とする請求項２記載の通信システム。
【請求項４】
前記通信端末は、当該通信端末に接続される前記分岐器からの被変調波信号を増幅するための受信信号増幅器と、当該通信端末に接続される前記分岐器への被変調波信号を増幅するための送信信号増幅器と、当該通信端末に接続される前記分岐器に被変調波信号を送信する場合に、前記信号送信部の出力側に前記送信信号増幅器を介設し、当該通信端末に接続される前記分岐器からの被変調波信号を受信する場合に、前記信号受信部の入力側に前記受信信号増幅器を介設する切替えを行う切替部とを備えることを特徴とする請求項１記載の通信システム。
【請求項５】
前記通信端末は、当該通信端末に接続される前記分岐器への被変調波信号を増幅するための送信信号増幅器と、当該通信端末に接続される前記分岐器に被変調波信号を送信する場合に、前記信号送信部の出力側に前記送信信号増幅器を介設し、当該通信端末に接続される前記分岐器からの被変調波信号を受信する場合に、その被変調波信号を前記信号受信部に入力する切替えを行う切替部とを備えることを特徴とする請求項１記載の通信システム。
【発明の詳細な説明】
【０００１】
【発明の属する技術分野】
本発明は、データ信号を変調・復調して送信・受信を行う通信システムに関するものである。
【０００２】
【従来の技術】
図１１は従来の一般的な通信システムの一構成例を示す図である。この図に示す通信システムは、複数の通信端末１と、これらの各通信端末１に分岐接続される平衡２線ケーブル（ペア線）３とにより構成され、複数の通信端末１が平衡２線ケーブル３を介して相互にデータ信号を送受信するようになっている。
【０００３】
通信端末１は、平衡２線ケーブル３で当該通信端末１を他の通信端末１と接続するための端子部１００と、データ信号の送信および受信などの各種処理を実行するＣＰＵ１０１と、このＣＰＵ１０１からの送信するべきデータ信号から被変調波信号を生成し、これを端子部１００から他の通信端末１に送信する信号送信部１０２と、端子部１００に入来する他の通信端末１からの被変調波信号を受信し、これを復調して得られるデータ信号をＣＰＵ１０１に出力する信号受信部１０３と、信号送信部１０２の出力および信号受信部１０３の入力と端子部１００との間に介設される２線４線変換トランス１０４と、交流電源の交流電力を直流電力に変換する電源部１０５と、この電源部１０５で変換された直流電力から駆動電力を生成して各部に供給する内部電源１０６とを備えている。
【０００４】
このような通信システムでは、通信端末１の信号送信部１０２でデータ信号および搬送波信号から被変調波信号が生成され、２線４線変換トランス１０４を経由して平衡２線ケーブル３上に送信される。送信された被変調波信号は、別の通信端末１に受信され、その信号受信部１０３で復調され、元のデータ信号に復号される。
【０００５】
ここで、平衡２線ケーブル３上の伝送信号の周波数については、上りと下りとで同一の周波数帯域が使用される。配線形態は任意の箇所で分岐が可能なマルチドロップであり、分岐点では直接平衡２線ケーブル同士が結ばれる。
【０００６】
このような通信方式の場合、複数の通信端末１が同時に送信すると、平衡２線ケーブル３に送信された信号が衝突し、いずれの通信端末１においても通信相手の信号を正常に受信することができなくなる。このため、一般的に、各通信端末１は、送信前に、信号受信部１０３で受信されるデータ信号を監視することにより、平衡２線ケーブル３上に送信中の信号が有るか無いかを検出するようになっている。そして、平衡２線ケーブル３上に送信中の信号が有ることを検出した場合には、送信時点を延期し、再度検出を行って送信中の信号が無ければ送信を行うように送信タイミングの調整が行われるようになっている。
【０００７】
なお、特開平６−８５７９６号公報には、複数の端末装置と、これら端末装置にそれぞれ設けられた送受信部ならびに送受信インターフェース部と、送受信インターフェース部の相互間を連結し有極性の信号が伝送される１対の信号線と、送受信インターフェース部で受信した信号の信号方向を検出すると共に、この検出出力に基づいて信号の極性を送信元の極性に変換して送受信部に伝送する極性検出・変換回路を有する二線式伝送システムが記載されている。
【０００８】
【発明が解決しようとする課題】
上記従来の通信システムでは、信号の衝突を回避しつつ信号の送受信を好適に行うことができるものの、平衡２線ケーブルの分岐点では、直接平衡２線ケーブル同士が接続されるために、その分岐点で平衡２線ケーブルのインピーダンスが低下してしまい、伝送信号である被変調波信号が減衰および反射するという問題があった。また、これにより、被変調波信号の振幅が小さくなり、被変調波信号が大きな歪みを持つようになると、データ信号の復調が不可能となり、伝送距離および分岐接続数の両最大値を増加することができない。
【０００９】
本発明は、上記事情に鑑みてなされたものであり、伝送距離および分岐接続数の両最大値を増加することができる通信システムを提供することを目的とする。
【００１０】
【課題を解決するための手段】
上記課題を解決するための請求項１記載の発明は、複数の通信端末と、これらの各通信端末に接続される分岐器と、これらの各分岐器間に接続される平衡２線ケーブルとにより構成され、前記複数の通信端末が前記分岐器および前記平衡２線ケーブルを介して相互にデータ信号を送受信する通信システムであって、前記通信端末は、送信するべきデータ信号から被変調波信号を生成し、これを当該通信端末に接続される前記分岐器経由で他の通信端末に送信する信号送信部と、当該通信端末に接続される前記分岐器を介して他の通信端末からの被変調波信号を受信し、これを復調してデータ信号を得る信号受信部とを備え、前記分岐器は、前記平衡２線ケーブルと接続するための一対の送り端子部と、当該分岐器を前記通信端末に接続するための分岐端子部と、分岐回路部とを含み、この分岐回路部は、前記一対の送り端子部間の両ラインと前記分岐端子部との間に介設され前記平衡２線ケーブルに対してハイインピーダンスとなる一対の抵抗と、これら一対の抵抗と前記分岐端子部との間に介設され前記平衡２線ケーブルとインピーダンス整合をとるためのトランスとにより構成されることを特徴とする。
【００１１】
請求項２記載の発明は、請求項１記載の通信システムにおいて、前記通信端末は、当該通信端末に接続される前記分岐器を送信状態および受信状態のいずれかに切り替えるための切替制御信号を生成し、これをその分岐器に送信する制御信号送信部を備え、前記分岐器は、前記送り端子部からの被変調波信号を増幅するための受信信号増幅器と、前記分岐端子部からの被変調波信号を増幅するための送信信号増幅器と、前記通信端末からの切替制御信号が送信状態に切り替えるための信号であれば、前記送信信号増幅器を前記分岐回路部と前記分岐端子部との間に介設し、前記切替制御信号が受信状態に切り替えるための信号であれば、前記受信信号増幅器を前記分岐回路部と前記分岐端子部との間に介設する切替えを行う切替部とを備えることを特徴とする。
【００１２】
請求項３記載の発明は、請求項２記載の通信システムにおいて、前記通信端末と前記分岐器の分岐端子部との間には平衡２線ケーブルが接続され、この平衡２線ケーブルを介して前記分岐器への被変調波信号および切替制御信号が送信されることを特徴とする。
【００１３】
請求項４記載の発明は、請求項１記載の通信システムにおいて、前記通信端末は、当該通信端末に接続される前記分岐器からの被変調波信号を増幅するための受信信号増幅器と、当該通信端末に接続される前記分岐器への被変調波信号を増幅するための送信信号増幅器と、当該通信端末に接続される前記分岐器に被変調波信号を送信する場合に、前記信号送信部の出力側に前記送信信号増幅器を介設し、当該通信端末に接続される前記分岐器からの被変調波信号を受信する場合に、前記信号受信部の入力側に前記受信信号増幅器を介設する切替えを行う切替部とを備えることを特徴とする。
【００１４】
請求項５記載の発明は、請求項１記載の通信システムにおいて、前記通信端末は、当該通信端末に接続される前記分岐器への被変調波信号を増幅するための送信信号増幅器と、当該通信端末に接続される前記分岐器に被変調波信号を送信する場合に、前記信号送信部の出力側に前記送信信号増幅器を介設し、当該通信端末に接続される前記分岐器からの被変調波信号を受信する場合に、その被変調波信号を前記信号受信部に入力する切替えを行う切替部とを備えることを特徴とする。
【００１５】
【発明の実施の形態】
（第１実施形態）
図１は本発明に係る第１実施形態の通信システムの構成例を示す図、図２は同通信システムにおける通信端末の構成図、図３は同通信システムにおける分岐器の構成図である。
【００１６】
第１実施形態の通信システムは、図１に示すように、複数の通信端末１と、これらの各通信端末１に接続される分岐器２と、これらの各分岐器２間に接続される平衡２線ケーブル３とにより構成され、複数の通信端末１が分岐器２および平衡２線ケーブル３を介して相互にデータ信号を送受信するようになっている。
【００１７】
通信端末１は、図２に示すように、平衡２線ケーブル４を介して直下の（当該通信端末１に接続される）分岐器２と接続される端子部１００と、データ信号の送信および受信などの各種処理を実行するＣＰＵ１０１と、このＣＰＵ１０１からの送信するべきデータ信号から被変調波信号を生成し、これを直下の分岐器２経由で他の通信端末１に送信する信号送信部１０２と、直下の分岐器２を介して他の通信端末１からの被変調波信号を受信し、これを復調して得られるデータ信号をＣＰＵ１０１に出力する信号受信部１０３と、信号送信部１０２の出力および信号受信部１０３の入力と端子部１００との間に介設される２線４線変換トランス１０４と、交流電源の交流電力を直流電力に変換する電源部１０５と、この電源部１０５で変換された直流電力から駆動電力を生成して各部に供給する内部電源１０６とを備えている。
【００１８】
分岐器２は、図３に示すように、平衡２線ケーブル３と接続するための一対の送り端子部２０１，２０２と、平衡２線ケーブル４を介して当該分岐器２を通信端末１に接続するための分岐端子部２００とを備えているほか、分岐回路部２０３を備えている。
【００１９】
なお、送り端子部２０１の端子２０１ａ，２０１ｂおよび送り端子部２０２の端子２０２ａ，２０２ｂは、それぞれ、分岐器２の内部で互いに電気的に接続されている。
【００２０】
分岐回路部２０３は、一対の送り端子部２０１，２０２のうち一方の送り端子部に入来する被変調波信号に対して、他方の送り端子部から送出される被変調波信号の減衰が少なくなるように、分岐点を高インピーダンスで接続し、分岐端子部２００のインピーダンスが被変調波信号の伝送線路の特性インピーダンスに等しくなるように構成される。すなわち、一対の送り端子部２０１，２０２間の両ラインＬＮ１，ＬＮ２と分岐端子部２００との間に介設され平衡２線ケーブル３に対してハイインピーダンスとなる一対の抵抗Ｒ２１，Ｒ２２と、これらの抵抗Ｒ２１，Ｒ２２と両ラインＬＮ１，ＬＮ２との間に直列に介設される一対のコンデンサＣ２１，Ｃ２２と、一対の抵抗Ｒ２１，Ｒ２２と分岐端子部２００との間に介設され平衡２線ケーブル４とインピーダンス整合をとるためのトランスＴ２と、このトランスＴ２と分岐端子部２００との間に介設される一対のコンデンサＣ２３，Ｃ２４とにより構成される。
【００２１】
コンデンサＣ２１，Ｃ２２，Ｃ２３，Ｃ２４は、低周波成分の通過を阻止するために設けられる。抵抗Ｒ２１，Ｒ２２は、平衡２線ケーブル３の特性インピーダンスよりも十分に大きいインピーダンス値を有し、分岐点での平衡２線ケーブル３の特性インピーダンスに影響を与えずに、被変調波信号を分岐端子部２００に伝達する役目を担う。トランスＴ２は、分岐端子部２００側からみた特性インピーダンスが平衡２線ケーブル３の特性インピーダンスと等しくなるように巻き数比が調整されている。なお、終端となる分岐器２における一方の送り端子部には、コンデンサおよび抵抗からなる終端部材が接続される。
【００２２】
このように構成される通信システムでは、通信端末１の信号送信部１０２でデータ信号および搬送波信号から被変調波信号が生成され、２線４線変換トランス１０４および平衡２線ケーブル４を経由して分岐器２の分岐端子部２００に送信される。その送信された被変調波信号は、分岐回路部２０３を介して一対の送り端子部２０１，２０２に伝達され、そこからそれぞれの平衡２線ケーブル３上に送信されて、別の両分岐器２に伝送される。
【００２３】
別の両分岐器２の各々において、一方の送り端子部に入来した上記被変調波信号は、他方の送り端子部からさらに別の分岐器２に伝送されていく。このようにして上記被変調波信号が他の全ての分岐器２に伝送される。
【００２４】
これらの各分岐器２において、一方の送り端子部に入来した上記被変調波信号は、分岐回路部２０３を介して分岐端子部２００に伝達され、そこからその平衡２線ケーブル４上に送信されて、他の通信端末１に送られる。
【００２５】
他の通信端末１では、被変調波信号が信号受信部１０３で復調され、元のデータ信号に復号される。
【００２６】
要するに、各分岐器２において、分岐端子部２００に入った被変調波信号は、一対の送り端子部２０１，２０２の各々から出力し、一方の送り端子部に入った被変調波信号は、他方の送り端子部および分岐端子部２００から出力し、他方の送り端子部に入った被変調波信号は、一方の送り端子部および分岐端子部２００から出力するのである。
【００２７】
このような通信システムによれば、分岐器２において平衡２線ケーブル３のインピーダンス整合が保たれ、しかも高インピーダンスで被変調波信号が分岐されるので、被変調波信号の分岐点（分岐箇所）における挿入損失を低減することができ、伝送距離および分岐接続数の両最大値を増加することができる。
【００２８】
（第２実施形態）
図４は本発明に係る第２実施形態の通信システムの構成例を示す図、図５は同通信システムにおける通信端末の構成図、図６は同通信システムにおける分岐器の構成図である。
【００２９】
第２実施形態の通信システムは、第１実施形態との相違点として、通信端末１および分岐器２に代えて、図４に示すように、それぞれ通信端末１Ａおよび分岐器２Ａを備え、各通信端末１Ａとその直下の分岐器２Ａとの間には、平衡２線ケーブル４のほかに制御信号送信用の平衡２線ケーブル５が接続されている。
【００３０】
通信端末１Ａは、図５に示すように、端子部１００と、ＣＰＵ１０１と、信号送信部１０２と、信号受信部１０３と、２線４線変換トランス１０４と、電源部１０５と、内部電源１０６とを第１実施形態の通信端末１と同様に備えているほか、通信端末１との相違点として、ＤＣ電源重畳部１０７と、平衡２線ケーブル５を接続するための端子部１０８と、制御信号送信部１０９とを備えている。
【００３１】
ＤＣ電源重畳部１０７は、端子部１００と２線４線変換トランス１０４との間に介設され、電源部１０５から直流電力を得て、直下の分岐器２Ａ用にＤＣ電源を確保するための直流電力を端子部１００から出力するものである。
【００３２】
制御信号送信部１０９は、ＣＰＵ１０１の制御に従って、当該通信端末１Ａに接続される分岐器２Ａを送信状態および受信状態のいずれかに切り替えるための切替制御信号を生成し、これをその分岐器２Ａに送信するものである。
【００３３】
分岐器２Ａは、図６に示すように、送り端子部２０１，２０２と、分岐端子部２００と、分岐回路部２０３とを第１実施形態の分岐器２と同様に備えているほか、分岐器２との相違点として、平衡２線ケーブル５を接続するための端子部２０４に加えて、制御信号検出部２０５と、ＤＣ電源分離部２０６と、内部電源２０７と、受信信号増幅器２０８と、送信信号増幅器２０９と、切替部２１０とを備えている。
【００３４】
制御信号検出部２０５は、通信端末１Ａから切替制御信号を受信し、この切替制御信号が当該分岐器２Ａを送信状態および受信状態のいずれかに切り替えるための信号であるかを検出するものである。
【００３５】
ＤＣ電源分離部２０６は、通信端末１Ａからの被変調波信号および直流電力からそれぞれを分離し、被変調波信号を切替部２１０に伝達する一方、直流電力を内部電源２０７に供給するものである。なお、直流電力は、被変調波信号に重畳して送られてくる場合もあれば、単独で送られてくる場合もある。
【００３６】
内部電源２０７は、ＤＣ電源分離部２０６から供給される直流電力により当該分岐器２Ａの各部に必要な電力を供給するものである。
【００３７】
受信信号増幅器２０８は、送り端子部２０１，２０２からの被変調波信号を増幅するためのものであり、送信信号増幅器２０９は、分岐端子部２００からの被変調波信号を増幅するためのものである。
【００３８】
切替部２１０は、制御信号検出部２０５で検出された、通信端末１Ａからの切替制御信号が送信状態に切り替えるための信号であれば、送信信号増幅器２０９を分岐回路部２０３と分岐端子部２００との間に介設し、切替制御信号が受信状態に切り替えるための信号であれば、受信信号増幅器２０８を分岐回路部２０３と分岐端子部２００との間に介設するものである。第２実施形態では、分岐端子部２００にＤＣ電源分離部２０６が接続されるので、受信信号増幅器２０８および送信信号増幅器２０９は、分岐回路部２０３とＤＣ電源分離部２０６との間に介設される。
【００３９】
このように構成される通信システムでは、通信端末１Ａの送信時、その通信端末１Ａによって、直下の分岐器２Ａを送信状態に切り替えるための切替制御信号が生成されて、平衡２線ケーブル５を介して分岐器２Ａに送信される。
【００４０】
この分岐器２Ａにおいて、上記切替制御信号が受信されると、その切替制御信号が送信状態に切り替えるための信号であるので、送信信号増幅器２０９が分岐回路部２０３とＤＣ電源分離部２０６との間に介設される。これにより、通信端末１Ａから送信される被変調波信号が適切なレベルでその分岐器２Ａを介して他の通信端末１Ａに伝送されるようになる。
【００４１】
この後、上記通信端末１Ａにおいて、送信が完了すれば、直下の分岐器２Ａを受信状態に切り替えるための切替制御信号が生成されて、平衡２線ケーブル５を介して分岐器２Ａに送信される。
【００４２】
この分岐器２Ａにおいて、上記切替制御信号が受信されると、その切替制御信号が受信状態に切り替えるための信号であるので、受信信号増幅器２０８が分岐回路部２０３とＤＣ電源分離部２０６との間に介設される。これにより、上記通信端末１Ａにおいて、他の通信端末１Ａからの被変調波信号を適切なレベルで受信することができるようになる。
【００４３】
換言すると、分岐器２Ａは、自己を送信状態に切り替えるための切替制御信号を制御信号検出部２０５で検出している間は、送信信号増幅器２０９を分岐回路部２０３とＤＣ電源分離部２０６との間に介設し、その切替制御信号を制御信号検出部２０５で検出していない間は、受信信号増幅器２０８を分岐回路部２０３とＤＣ電源分離部２０６との間に介設するのである。
【００４４】
このような通信システムによれば、通信端末１Ａから送信される被変調波信号を適切なレベルで他の通信端末１Ａに伝送することができるとともに、他の通信端末１Ａからの被変調波信号を適切なレベルで受信することができる。
【００４５】
（第３実施形態）
図７は本発明に係る第３実施形態の通信システムにおける通信端末の構成図、図８は同通信システムにおける分岐器の構成図である。
【００４６】
第３実施形態の通信システムは、第２実施形態との相違点として、通信端末１Ａおよび分岐器２Ａに代えて、図７，図８に示すように、それぞれ通信端末１Ｂおよび分岐器２Ｂを備え、各通信端末１Ｂとその直下の分岐器２Ｂとの間には、平衡２線ケーブル４のみが接続される。
【００４７】
通信端末１Ｂは、図７に示すように、端子部１００と、ＣＰＵ１０１と、信号送信部１０２と、信号受信部１０３と、２線４線変換トランス１０４と、電源部１０５と、内部電源１０６と、制御信号送信部１０９とを第２実施形態の通信端末１Ａと同様に備えているほか、通信端末１Ａとの相違点として、周波数多重部１１０を備えている。
【００４８】
この周波数多重部１１０は、端子部１００と２線４線変換トランス１０４との間に介設され、電源部１０５から直流電力を得て、直下の分岐器２Ｂ用にＤＣ電源を確保するための直流電力を端子部１００から出力するとともに、送信するべき被変調波信号および切替制御信号を周波数多重で送信するものである。これらの直流電力、被変調波信号および切替制御信号の各周波数帯域は、互いに重なることがない帯域に設定される。
【００４９】
分岐器２Ｂは、図８に示すように、送り端子部２０１，２０２と、分岐端子部２００と、分岐回路部２０３と、制御信号検出部２０５と、内部電源２０７と、受信信号増幅器２０８と、送信信号増幅器２０９と、切替部２１０とを第２実施形態の分岐器２Ａと同様に備えているほか、分岐器２Ａとの相違点として、周波数多重分離部２１１を備えている。
【００５０】
この周波数多重分離部２１１は、通信端末１Ｂからの切替制御信号、被変調波信号および直流電力からそれぞれを分離し、切替制御信号を制御信号検出部２０５に伝達し、被変調波信号を切替部２１０に伝達し、直流電力を内部電源２０７に供給するものである。
【００５１】
このように構成される通信システムでは、通信端末１Ｂの送信時、その通信端末１Ｂによって、直下の分岐器２Ｂを送信状態に切り替えるための切替制御信号が生成されて、送信するべき被変調波信号および直流電力とともに平衡２線ケーブル４を介して分岐器２Ｂに送信される。
【００５２】
この分岐器２Ｂにおいて、上記切替制御信号、被変調波信号および直流電力が受信されると、切替制御信号が制御信号検出部２０５に伝達され、被変調波信号が切替部２１０に伝達され、直流電力が内部電源２０７に供給される。この場合の切替制御信号は送信状態に切り替えるための信号であるので、送信信号増幅器２０９が分岐回路部２０３と周波数多重分離部２１１との間に介設され、被変調波信号が送信信号増幅器２０９を経由して分岐回路部に入力される。
【００５３】
この後、上記通信端末１Ｂにおいて、送信が完了すれば、直下の分岐器２Ｂを受信状態に切り替えるための切替制御信号が生成されて、直流電力とともに平衡２線ケーブル４を介して分岐器２Ｂに送信される。
【００５４】
この分岐器２Ｂにおいて、上記切替制御信号および直流電力が受信されると、切替制御信号が制御信号検出部２０５に伝達され、直流電力が内部電源２０７に供給される。この場合の切替制御信号は受信状態に切り替えるための信号であるので、受信信号増幅器２０８が分岐回路部２０３と周波数多重分離部２１１との間に介設される。これにより、上記通信端末１Ｂにおいて、他の通信端末１Ｂからの被変調波信号を適切なレベルで受信することができるようになる。
【００５５】
このような通信システムによれば、第２実施形態の効果に加えて、通信端末１Ｂと分岐器２Ｂとの間に接続されるケーブルの本数を削減することができる。
【００５６】
（第４実施形態）
図９は本発明に係る第４実施形態の通信システムにおける通信端末の構成図である。
【００５７】
第４実施形態の通信システムは、第１実施形態との相違点として、通信端末１に代えて、図９に示す通信端末１Ｃを備えている。この通信端末１Ｃは、端子部１００と、ＣＰＵ１０１と、信号送信部１０２と、信号受信部１０３と、２線４線変換トランス１０４と、電源部１０５と、内部電源１０６とを第１実施形態の通信端末１と同様に備えているほか、切替駆動部１１１と、受信信号増幅器１１２と、送信信号増幅器１１３と、切替部１１４とを備えている。
【００５８】
ただし、ＣＰＵ１０１は、切替駆動部１１１を通じて、切替部１１４での切替えを行うための制御をさらに実行するようにプログラムされる。
【００５９】
切替駆動部１１１は、ＣＰＵ１０１の切替制御に従って、切替部１１４での切替えを行うものである。受信信号増幅器１１２は、当該通信端末１Ｃに接続される分岐器２からの被変調波信号を増幅するためのものである。送信信号増幅器１１３は、当該通信端末１Ｃに接続される分岐器２への被変調波信号を増幅するためのものである。
【００６０】
切替部１１４は、切替駆動部１１１を通じたＣＰＵ１０１による切替制御に従って、直下の分岐器２に被変調波信号を送信する場合に、信号送信部１０２の出力側に送信信号増幅器１１３を介設し、直下の分岐器２からの被変調波信号を受信する場合に、信号受信部１０３の入力側に受信信号増幅器１１２を介設する切替えを行うものである。
【００６１】
このように構成される通信システムでは、送信時、通信端末１Ｃ（ＣＰＵ１０１）が切替駆動部１１１を通じて切替部１１４による切替えを実行することにより、信号送信部１０２の出力側に送信信号増幅器１１３が介設される。これにより、通信端末１Ｃから送信される被変調波信号が適切なレベルでその分岐器２を介して他の通信端末１Ｃに伝送されるようになる。
【００６２】
この後、送信が完了すれば、通信端末１Ｃが切替駆動部１１１を通じて切替部１１４による切替えを実行することにより、信号受信部１０３の入力側に受信信号増幅器１１２が介設される。これにより、通信端末１Ｃが他の通信端末１Ａからの被変調波信号を適切なレベルで受信することができるようになる。
【００６３】
このような通信システムによれば、通信端末１Ｄから送信される被変調波信号を適切なレベルで他の通信端末１Ｄに伝送することができるとともに、他の通信端末１Ｄからの被変調波信号を適切なレベルで受信することができる。また、第２，第３実施形態のように、制御信号検出部２０５、ＤＣ電源分離部２０６、内部電源２０７、周波数多重分離部２１１を分岐器２に設ける必要がないので、分岐器２の構成が簡単になる。
【００６４】
（第５実施形態）
図１０は本発明に係る第５実施形態の通信システムにおける通信端末の構成図である。
【００６５】
第５実施形態の通信システムは、第４実施形態との相違点として、通信端末１Ｃに代えて、図１０に示す通信端末１Ｄを備えている。この通信端末１Ｄは、受信信号増幅器１１２に代えて直結ライン１１２ａが設けられる以外は第４実施形態の通信端末１Ｃと同様に構成される。
【００６６】
第５実施形態では、第４実施形態における受信信号増幅器１１２の増幅率（α［ｄＢ］）と送信信号増幅器１１３の増幅率（β［ｄＢ］）とを、１台の送信信号増幅器１１３の増幅率（α＋β［ｄＢ］）に持たせた設定になっている。これにより、送信時にノイズに対してレベルの大きな被変調波信号が送信されることになるので、Ｓ／Ｎ比が向上し、信頼性の高いより高品位のシステムを実現することができる。
【００６７】
このように構成される通信システムでは、送信時、通信端末１Ｄが切替駆動部１１１を通じて切替部１１４による切替えを実行することにより、信号送信部１０２の出力側に送信信号増幅器１１３が介設される。これにより、通信端末１Ｄから送信される被変調波信号が適切なレベルでその分岐器２を介して他の通信端末１Ｄに伝送されるようになる。
【００６８】
この後、送信が完了すれば、通信端末１Ｄが切替駆動部１１１を通じて切替部１１４による切替えを実行することにより、信号受信部１０３の入力側に直結ライン１１２ａが介設され、信号受信部１０３の入力側の２線４線変換トランスと端子部１００との間が直結される。これにより、通信端末１Ｄが、他の通信端末１Ｄからの被変調波信号を、その他の通信端末１Ｄ側の送信信号増幅器１１３により適切なレベルで受信することができるようになる。
【００６９】
このような通信システムによれば、第４実施形態の効果に加えて、回路構成の簡単化を実現することができる。
【００７０】
【発明の効果】
以上のことから明らかなように、請求項１記載の発明は、複数の通信端末と、これらの各通信端末に接続される分岐器と、これらの各分岐器間に接続される平衡２線ケーブルとにより構成され、前記複数の通信端末が前記分岐器および前記平衡２線ケーブルを介して相互にデータ信号を送受信する通信システムであって、前記通信端末は、送信するべきデータ信号から被変調波信号を生成し、これを当該通信端末に接続される前記分岐器経由で他の通信端末に送信する信号送信部と、当該通信端末に接続される前記分岐器を介して他の通信端末からの被変調波信号を受信し、これを復調してデータ信号を得る信号受信部とを備え、前記分岐器は、前記平衡２線ケーブルと接続するための一対の送り端子部と、当該分岐器を前記通信端末に接続するための分岐端子部と、分岐回路部とを含み、この分岐回路部は、前記一対の送り端子部間の両ラインと前記分岐端子部との間に介設され前記平衡２線ケーブルに対してハイインピーダンスとなる一対の抵抗と、これら一対の抵抗と前記分岐端子部との間に介設され前記平衡２線ケーブルとインピーダンス整合をとるためのトランスとにより構成されるので、分岐回路部により高インピーダンスで被変調波信号の分岐を行うことで挿入損失を低減することができ、トランスを用いて分岐箇所での平衡２線ケーブルと分岐器とのインピーダンス整合を保つことで、平衡２線ケーブル上における被変調波信号の減衰を低減することができる。このように、被変調波信号の減衰ないし反射の影響を減少させることが可能となることにより、伝送距離および分岐接続数の両最大値を増加することができる。
【００７１】
請求項２記載の発明は、請求項１記載の通信システムにおいて、前記通信端末は、当該通信端末に接続される前記分岐器を送信状態および受信状態のいずれかに切り替えるための切替制御信号を生成し、これをその分岐器に送信する制御信号送信部を備え、前記分岐器は、前記送り端子部からの被変調波信号を増幅するための受信信号増幅器と、前記分岐端子部からの被変調波信号を増幅するための送信信号増幅器と、前記通信端末からの切替制御信号が送信状態に切り替えるための信号であれば、前記送信信号増幅器を前記分岐回路部と前記分岐端子部との間に介設し、前記切替制御信号が受信状態に切り替えるための信号であれば、前記受信信号増幅器を前記分岐回路部と前記分岐端子部との間に介設する切替えを行う切替部とを備えるので、通信端末から送信される被変調波信号を適切なレベルで他の通信端末に伝送することができるとともに、他の通信端末からの被変調波信号を適切なレベルで受信することができる。また、伝送距離および分岐接続数の両最大値をさらに増加することができる。
【００７２】
請求項３記載の発明は、請求項２記載の通信システムにおいて、前記通信端末と前記分岐器の分岐端子部との間には平衡２線ケーブルが接続され、この平衡２線ケーブルを介して前記分岐器への被変調波信号および切替制御信号が送信されるので、通信端末と分岐器との間に接続されるケーブルの本数を削減することができる。
【００７３】
請求項４記載の発明は、請求項１記載の通信システムにおいて、前記通信端末は、当該通信端末に接続される前記分岐器からの被変調波信号を増幅するための受信信号増幅器と、当該通信端末に接続される前記分岐器への被変調波信号を増幅するための送信信号増幅器と、当該通信端末に接続される前記分岐器に被変調波信号を送信する場合に、前記信号送信部の出力側に前記送信信号増幅器を介設し、当該通信端末に接続される前記分岐器からの被変調波信号を受信する場合に、前記信号受信部の入力側に前記受信信号増幅器を介設する切替えを行う切替部とを備えるので、通信端末から送信される被変調波信号を適切なレベルで他の通信端末に伝送することができるとともに、他の通信端末からの被変調波信号を適切なレベルで受信することができる。また、伝送距離および分岐接続数の両最大値をさらに増加することができるほか、分岐器の構成が簡単になるので、システム全体としての構成が簡単となって、コスト低減が可能となる。
【００７４】
請求項５記載の発明は、請求項１記載の通信システムにおいて、前記通信端末は、当該通信端末に接続される前記分岐器への被変調波信号を増幅するための送信信号増幅器と、当該通信端末に接続される前記分岐器に被変調波信号を送信する場合に、前記信号送信部の出力側に前記送信信号増幅器を介設し、当該通信端末に接続される前記分岐器からの被変調波信号を受信する場合に、その被変調波信号を前記信号受信部に入力する切替えを行う切替部とを備えるので、通信端末から送信される被変調波信号を適切なレベルで他の通信端末に伝送することができるとともに、他の通信端末からの被変調波信号を適切なレベルで受信することができる。また、伝送距離および分岐接続数の両最大値をさらに増加することができるほか、分岐器の構成が簡単になるとともに通信端末の構成も簡単になるので、システム全体としての構成がより簡単となって、より一層のコスト低減が可能となる。
【図面の簡単な説明】
【図１】本発明に係る第１実施形態の通信システムの構成例を示す図である。
【図２】同通信システムにおける通信端末の構成図である。
【図３】同通信システムにおける分岐器の構成図である。
【図４】本発明に係る第２実施形態の通信システムの構成例を示す図である。
【図５】同通信システムにおける通信端末の構成図である。
【図６】同通信システムにおける分岐器の構成図である。
【図７】本発明に係る第３実施形態の通信システムにおける通信端末の構成図である。
【図８】同通信システムにおける分岐器の構成図である。
【図９】本発明に係る第４実施形態の通信システムにおける通信端末の構成図である。
【図１０】本発明に係る第５実施形態の通信システムにおける通信端末の構成図である。
【図１１】従来の一般的な通信システムの一構成例を示す図である。
【符号の説明】
１　通信端末
１００　端子部
１０１　ＣＰＵ
１０２　信号送信部
１０３　信号受信部
１０４　２線４線変換トランス
１０５　電源部
１０６　内部電源
１０７　ＤＣ電源重畳部
１０８　端子部
１０９　制御信号送信部
１１０　周波数多重部
１１１　切替駆動部
１１２　受信信号増幅器
１１３　送信信号増幅器
１１４　切替部
２　分岐器
２００　分岐端子部
２０１，２０２　送り端子部
２０３　分岐回路部
２０４　端子部
２０５　制御信号検出部
２０６　ＤＣ電源分離部
２０７　内部電源
２０８　受信信号増幅器
２０９　送信信号増幅器
２１０　切替部
２１１　周波数多重分離部
３〜５　平衡２線ケーブル
【図１】
2004048499.tif 000003
【図２】
2004048499.tif 000004
【図３】
2004048499.tif 000005
【図４】
2004048499.tif 000006
【図５】
2004048499.tif 000007
【図６】
2004048499.tif 000008
【図７】
2004048499.tif 000009
【図８】
2004048499.tif 000010
【図９】
2004048499.tif 000011
【図１０】
2004048499.tif 000012
【図１１】
2004048499.tif 000013